(57)【要約】      （修正有）【課題】音声又は／及び映像付きの双方向通信端末搭載のウエアラブル端末の活用で実現できる地域ぐるみのフリーハンズなＩＴ活用２４時間遠隔見守りシステムを構築する。【解決手段】各種生体情報センサー５ｈ、Ｂｌｕｅｔｏｏｔｈ（登録商標）直結のＧＰＳ端末等々の各種端末と直結した音声又は／及び映像付き双方向通信端末５ｂを搭載した防水型挿入機器３ａを、腕輪又はサポーター等々の各種基体に施設した収納容器に固定し着脱できるようにする。【選択図】図６
2020064580.tif 000002
【特許請求の範囲】
【請求項１】
時計  カメラまたはＡＩ機能付きカメラ、ルーペ、眼鏡類、スマートウオッチ、ストップウオッチ、スコアカウンター、宝飾品、ＬＥＤライト又はＡＩ機能付きＬＥＤライト、その他の照明器具、防虫器具、ピルケース、血圧計、脈拍計、心拍計、体温計、気圧計、カロリー消費計、歩数計、ＡＩ機能付き磁気治療器、永久磁石、ＡＩ機能付き睡眠誘導補助器、ＡＩ機能付き睡眠センサー、ＡＩ機能付き聴音センサー、脱水症検知センサー、その他ＡＩ機能付き各種運動値測定センサー、Ｂｌｕｅｔｏｏｔｈ直結のＧＰＳ端末、ＡＩスピーカー、ＡＩマイクロホン、ＡＩ機能付き各種生体情報センサー等々の各種端末と直結した双方向受発信端末又はＡＩ機能付き双方向受発信端末或いはアラームも含めた音声または／及び映像付きでＡＩ機能付き双方向通信端末等々の各種通信端末、電池、太陽光電池、非接触型充電式電池、ＡＩ機能付きスイッチ等々の単体又は複合体を搭載した単一又は複数の防水型挿入機器を、常時着用できる人肌に優しいソフトなオーガニック木綿素材（蓄光性、抗菌性、保温性、冷却性、保湿性、導電性のいずれかを含む素材）を優先的に採用した腕輪、足輪、リストバンド、ヘアバンド、ベルト、サポーター、ストラップ、ペンダント、グローブ、帽子、シューズ、ソックス、バッグ類、眼鏡類、眼鏡枠、眼鏡レンズ、補聴器、イヤーホーン、その他身の回り品、ぬいぐるみ、マスコット、その他玩具類、下着類の各部位及びその他衣服類の各部位等々をウエアラブル端末の各基体とし、基体表面の裏側に施設された単一又は複数の貫通穴切り口に施設された単一又は複数の単体構造の収納容器に各種防水型挿入機器を固定し且つ着脱できる技術、又ぬいぐるみ等の基体に施設された開閉用ジッパーを活用し各種防水型挿入機器及び収納容器をぬいぐるみ等の基体に着脱できる技術等々に支えられたフリーハンズな地域ぐるみのＩＴ活用２４時間遠隔見守りシステム。
【請求項２】
〔請求項１〕に記述の発明は、一又は複数の各種防水型挿入機器をウエアラブル端末の各種基体の貫通穴切り口に施設された一又は複数の収納容器に固定し収納する技術、形状が同一心円の防水型挿入機器及び収納容器は基体に施設された一又は複数の貫通穴切り口に単体構造である収納容器の内周側面に凹状の螺旋型ネジ溝を施設し、一方の防水型挿入機器の外周側面に凸状の螺旋型ネジ山を施設し防水型挿入機器上部外周部の螺旋回転での上下移動で基体正面の裏側に施設された収納容器からの着脱を可能とする技術、ぬいぐるみ等が基体である場合、Ｂｌｕｅｔｏｏｔｈ直結のＧＰＳ端末，ＡＩスピーカー端末、ＡＩマイクロホン端末等々の各種端末と直結した双方向通信端末又はＡＩ機能付きアラームも含めた音声又は／及び映像付き双方向通信端末、充電式電池又は非接触型充電式電池、ＡＩスイッチ、ＡＩ電子ブザー等々を搭載した各種防水型挿入機器及び収納容器が基体に内設され、基体背面に施設された開閉用ジッパーを活用し各種防水型挿入器及び収納容器を基体に着脱し各種基体に付着した汗、匂い又は汚れを洗濯水等ですすぎ落とし、基体を常時清潔にでき併せて美的外観を常時維持できる技術、更には基体背面に施設された同じ開閉用ジッパーを活用し各種防水型挿入機器に搭載した電池類の交換を可能とすると同時に特に消費電力の大きいＧＰＳ端末の電力消費に対処するために又は停電時の電力供給の維持を確保するために非接触型充電式電池を搭載し、充電済み非接触型充電器を要観察対象者自身及び観察者／観察受託者がそれぞれ別途に携帯し必要に応じて常時ワイアレス充電を行い、或いは宅内外に施設された非接触型充電器及び充電済みの予備非接触型充電器を活用してワイアレス充電も容易にでき必要に応じて長時間連続受発信もできる技術等々を包括するフリーハンズな地域ぐるみのＩＴ活用２４時間遠隔見守りシステム。
【請求項３】
〔請求項１，２〕に記載の本発明は、各種防水型挿入機器を収納容器に収納する際、形状が同一心円の防水型挿入機器と収納容器を各種基体に収納するため基体正面の貫通穴切り口の裏面に固定された単体構造の収納容器底面の上部平面に施設されたツバ状突出部の開放部平面の１２時及び６時位置に小さいピラミッド状突起を施設し、基体正面の貫通穴切り口の裏面側に圧入納入し、基体正面の貫通穴切り口裏面側の収納容器上部のツバ状平面と防水型挿入機器外周中間に施設されたツバ状突出部底面平面部で基体正面の貫通穴切り口周辺部を上下から挟み込み、〔請求項２〕に記載済みの螺旋型ネジ構造を活用する螺旋回転で締付固定し且つ日常的に挿入機器及び収納器機を基体から螺旋回転で自在に着脱できる技術、更には異形の同一形状の防水型挿入機器と収納容器を固定し収納する為に収納容器内周部壁面にコの字型帯状溝を施設しその溝にシリコン製硬性Ｏｒｉｎｇを埋め込み対抗側の防水型挿入機器内周部中央分に施設されたややなだらかなコの字型帯状溝はシリコン製硬性Ｏｒｉｎｇを吸収し防水型挿入機器を収納容器をシリコン製硬性Ｏｒｉｎｇの反発力を活用し圧入固定と着脱を可能とする技術、又ぬいぐるみ等の基体に各種防水型挿入機器、ＡＩ電子ブザー、ＡＩスピーカー、ＡＩマイクロホン、非接触型充電式電池等々及び収納容器を内設する場合には基体に施設された開閉用ジッパーの活用で各種防水挿入機器及びその他内設物と収納容器を基体から自在に取り出せる技術、防水型挿入機器及びその他内設物と収納容器が外されたウエアラブル端末の基体を単独で水等で洗浄でき、ぬいぐるみ等を含む各種基体を清潔にし、又美観を保持できる技術等々を包含するフリーハンズな地域ぐるみのＩＴ活用２４時間遠隔見守りシステム。
【請求項４】
〔請求項１，２、３〕に記載の本発明は、各種端末を搭載した各種防水型挿入機器と収納容器を各種ウエアラブル端末の各種基体に固定し収納する技術を包含し、社会的弱者である要観察対象者、例えば被介護者、医療患者、寝たきり老人、認知症患者、心身障害者等々の地肌に優しく接触させ各種生体情報の精度の高い収集を実現するために基体の背面にも貫通穴を同軸に施設し、基体正面の貫通穴の裏面に固定された単体構造の一又は複数の収納容器の下部構造の底面を空洞化させ、下部構造の深さ乃至は広さを個別に構築調整し各種生体情報収集端末を搭載した防水型挿入機器を底面の空洞化した収納容器に挿入収納し直接地肌に接触させ各種ＡＩ機能付き生体情報収集端末と直結した双方向通信端末又はＡＩ機能付き双方向通信端末経由で各種生体情報を発信する技術、社会的弱者である各要観察対象者のＩＤ番号登録済の各ウエアラブル端末から発信された各種生体情報に関しプライバシイとセキュリテイ保護を優先させながら情報管理総合センターのＡＩ機能付きクラウドが収集・蓄積・記憶し分析・解析・診断する技術、ＩＤ番号登録済の要観察対象者の室内外又は邸内外での健康状況、救急状況、被介護状況、被医療状況、異常行動状況及び位置情報、脱水症検知情報等々の各種情報に関しＡＩ機能を活用し検知・確認し、プライバシイとセキュリテイ保護を優先させながら情報管理総合センターのＡＩ機能付きクラウドからＩＤ番号登録済の観察者及びその関係者、観察受託者等々の各ウエアラブル端末宛てに、及びＩＤ番号登録済の以下の幼稚園、学校、医療センター、介護センター、関係部署、地域包括ケアセンター、警察署、消防署、自治体等々のスタッフが携帯する各ウエアラブル端末又は情報センターに収納されている双方向通信端末又は音声付き又は／及び映像付きのＡＩ機能付き双方向通信端末宛てに優先、同時、定時、随時に配信先及び配信時を適宜に選択し配信をする技術、しかも常時でなく必要に応じた双方向交信で通信コスト及び消費電力の削減又は抑制を図る技術、配信されたＩＤ番号登録済の受信者は受信の都度受信内容をベースにＩＤ番号登録済の受信者間相互で音声又は映像付きの交信し対応策を地域ぐるみで立案し実施に移す技術等々を包含したフリーハンズな地域ぐるみのＩＴ活用２４時間遠隔見守りシステム。
【請求項５】
〔請求項１，２，３，４〕に記載の本発明は、社会的弱者が長時間常時着用可能な人肌に優しい素材、例えばオーガニックな木綿、抗菌性、保温性、冷却性、保湿性、蓄光性、導電性等々のいずれかの機能を保有する綿布等々の素材を優先的に採用した腕輪かサポーターを左右手首に、又は足輪かサポーターを左右足首に装着し、或いは身体の各部位にそれぞれ選択装着した下着類又は衣服類の各部位をウエアラブル端末の各種基体として単数又は複数の収納容器に双方向通信端末或いはアラームを含む音声又は／及び映像貼付も可能なＡＩ機能付き双方向送受信端末と直結した各種生体情報収集端末を搭載した防水型挿入機器を収納容器に固定する技術、個人プライバシィとセキュリテイ保護を優先しながら、ＩＤ番号登録済の以下の病院内外の患者、介護施設内外の被介護者、寝たきり老人、認知症患者、身体障害者等々の社会的弱者が着用する前記ウエアラブル携帯端末から発信する各種生体情報、脱水症情報、位置情報、行動情報、室内設置の各種情報センサーから発信する健康情報、脱水症情報、行動情報等々の各種情報を情報管理総合センターのＡＩ機能付きクラウドで収集・集積・記憶し、ＡＩ機能で照合・分析・解析・診断し情報管理総合センターがＡＩ機能を活用しＩＤ番号登録済の各種宛先に優先、同時、定時、随時の配信先及び配信時間を適宜に選択し必要な各種加工情報、指示、指導、勧告、熱中症リスク情報等々の情報を選択配信し併せて通信コスト及び消費電力を削減／抑制する技術、アラームを含む音声又は映像付きで交信できるＡＩ機能付き双方向送受信端末で受信した受信者はその都度受信内容をベースにＩＤ番号登録済の受信者相互間で交信し、対策案を立案実施する技術等々を包含するフリーハンズな地域ぐるみのＩＴ活用２４時間遠隔見守りシステム。
【請求項６】
〔請求項１，２，３，４，５〕に記載の本発明は、ＩＤ番号登録済の以下の社会的弱者である要観察対象者、例えば児童、子供、独居老人、同居老人、独居老人夫妻、徘徊老人、認知症患者、心身障害者等々がそれぞれ装着しているウエアラブル端末の基体に施設された一又は複数の収納容器に挿入されている防水型挿入機器に搭載されているアラームを含めた音声又は／及び映像付き双方向通信端末から発信する各種生体情報、脱水症検知センサー、位置情報、行動情報等々はプライバシイとセキュリテイ保護を優先し情報管理総合センターのＡＩ機能付きクラウドが受信・収集・記憶・分析・解析し必要な医療情報、介護情報、熱中症リスク情報、指導・指示・警告等々を優先、定時、同時、随時にＩＤ番号登録済の以下の医療センター、介護センター、地域包括ケアセンター、幼稚園、学校、自治体等々の情報センター宛て及びＩＤ番号登録済の以下の観察者／観察受託者、主治医、看護師、ケアマネージャー、介護士、付添人、家族、知人、隣人、保育士、学校教員等々のウエアラブル端末宛てに配信先及び配信時を選択配信し併せて通信コスト及び消費電力を削減／抑制する技術、ＩＤ番号登録済の受信者は受信の都度アラームを含む音声又は／及び映像の利用が可能な双方向交信で受信情報をベースに地域ぐるみで対応策を立案し実施に移す技術、更にはウエアラブル端末の地域ぐるみの２４時間遠隔見守りシステムを活用したフリーハンズな在宅医療、訪問診療、駆けつけ往診等々の適時化及び効率化技術、フリーハンズな在宅看護、訪問介護、駆け付け介護等々の適時化及び効率化技術等々を包括し医療事業及び介護事業の生産性向上に寄与する技術、及び社会的な医療・福祉のコスト削減又は抑制に寄与できる技術、併せて情報管理総合センターのＡＩ機能付きクラウドとＡＩ機能付き双方向通信端末搭載のウエアラブル端末の併用でアラームを含む音声又は／及び映像を利用した相互交信で災害時の地域ぐるみの安心安全確保、災害弱者保護、避難、救難、救護等々の諸活動の迅速化及び一元化の向上を図る技術、被災地を中心とする道路交通情報、土砂災害情報、家屋浸水情報、河川氾濫情報、道路冠水情報、停電情報、火災情報、等々の各種災害情報をＩＤ番号登録済の地域の各住民のウエアラブル端末及びＩＤ番号登録済の地域施設／地域機関の各情報センターから情報管理総合センターのＡＩ機能付きクラウドが収集・記憶・分析・解析を行い、加工された避難、救助、救難、消火、給水、食料配給、熱中症対策等々の情報をクラウドのＡＩ機能を活用しＩＤ番号登録済の地域の各住民のウエアラブル端末及び各種地域機関／地域施設の情報センター宛てに優先、同時。定時、随時に配信先及び配信時を選択配信し効果的な対策の実施を実現する技術等々を包含する地域ぐるみのＩＴ活用２４時間遠隔見守りシステム。
【請求項７】
ウエアラブル端末の厚さの違う各種基体正面の貫通穴切り口とその周辺部の表裏面を刺繍糸で刺繍止めし、切り口の端布のほつれ、ほぐれの発生を防止し、水溶性に脆弱な一般的な接着剤の使用を回避できる技術、各種基体正面の貫通穴裏面側に単体構造の収納容器上部のツバ状突出部平面の１２時、６時位置にピラミッド状の突起を施設し基体正面貫通穴の切り口裏面側に圧入収納し、挿入機器外周部中間に施設されたツバ状突出部と収納容器上部ツバ状平面部分とで基体正面の貫通穴切り口の周辺部を上下から挟み込み、挿入機器外周部と収納容器内周部の相互に施設された螺旋状ネジ構造の回転で上下から締め込み、挿入機器を収納容器に固着できる又は着脱できる技術等々を包含する〔請求項１，２，３，４，５、６〕で記載の地域ぐるみのウエアラブルでフリーハンズなＩＴ活用２４時間遠隔見守りシステム
【請求項８】
本発明のウエアラブルでフリーハンズなＬＥＤ照明灯を持つぬいぐるみ又はマスコットで遠隔見守りを実現する実施例の場合、ぬいぐるみ又はマスコットの上部裏面に施設した左右に分かれた２本の吊り下げ紐又は吊り下げストラップを活用し、身近な身の回り品、バッグ等々に装着又は固着できる技術、又は観察対象者の身体の一部に装着又は固着できしかもその場合にぬいぐるみ又はマスコットの裏返り防止でＬＥＤライトの照明方向を保持又は固定し、首掛け用ストラップの採用により片手で携帯する懐中電灯に代わるフリーハンズな夜間の照明灯の機能を果たし夜間及び災害時に着用者が常時ハンズフリーでの諸活動を確保できる技術、同時に基体に内設したＧＰＳ端末の発信装置を含む双方向通信端末を活用し着用者各自が非常時の位置情報、現場状況、災害時避難状況、火災状況、災害状況、救援・介護の状況及び救助・介護状況等々の各種状況報告及び確認情報をＡＩ機能付き情報管理総合センターがプライバシイとセキュリテイ保護を優先しながら収集・記憶・分析・加工し警報、勧告、指導等々各種情報をＩＤ番号登録済の各情報センター及びウエアラブル端末に施設されたアラームを含む音声又は／及び映像付きの双方向通信端末宛てに優先、同時、定時、随時の配信先及び配信時を適宜に選択配信しＩＤ番号登録済の受信者が地域ぐるみで相互交信できる技術、等々の技術包括で地域ぐるみの安心・安全ネットワークを構築・運営する技術集約ができる〔請求項１，２，３，４，５，６，７、〕に記載の地域ぐるみのフリーハンズのＩＴ活用２４時間遠隔見守りシステム。
【請求項９】
認知症患者、心身障害者、児童、子供、寝たきり老人、独居老人、在宅患者、在宅被介護人等々を含む社会的弱者の要観察対象者が各種端末を選択搭載したウエアラブル端末である腕輪、足輪等々の着用を恣意的に忌避する場合、或いは無意識に着用を忘れる場合に対抗できるシームレスで強靭な張力を持つ腰又は腕サポーターを基体としたウエアラブル端末を強制的に着用させ要観察対象者自身が恣意的に取り外すのを防止し、又着用を忘れるリスクを防ぐ技術、観察者及びその関係者／関係部署が善意の管理義務者の立場で要観察対象者の保護者の事前了解済みの上で強制的に前記ウエアラブル端末を要観察対象者に半強制的に着用させ、ＩＤ番号登録済の要観察対象者の位置情報、行動軌跡、及び健康状況等々の各種情報を前記ウエアラブル端末から発信しプライバシイとセキュリテイ保護を優先しながら情報管理総合センターのＡＩ機能付きクラウドが収集・記憶・分析・解析・加工し医療補助情報、介護補助情報、指示、指導、警告、熱中症対策情報等々の情報をＩＤ番号登録済の観察者及びその関係者／関係部署のウエアラブル端末宛てに、及びＩＤ番号登録済の以下の地域ケアセンター、介護センター、医療センター、幼稚園、学校、警察署、消防署、自治体等々の各情報センター宛てに優先、同時、定時、随時の配信先及び配信時を選択配信し、受信したＩＤ番号登録済の受信者で相互に交信し、必要と思われる処方・処置を地域ぐるみで立案・実践し、地域住民の安心・安全を確保し、住みよいまちづくりに貢献できる技術を包含する〔請求項１，２，３，４，５，６，７，８〕に記載の地域ぐるみのＩＴ活用２４時間遠隔見守りシステム
【請求項１０】
予めＩＤ番号を登録された以下の社会的弱者、児童、子供、認知症患者、徘徊老人、被介護者、等々が要観察対象者である場合、Ｂｌｕｅｔｏｏｔｈ直結ＧＰＳ端末搭載のウエアラブル端末に搭載した双方向通信端末及び中継器が発信するそれぞれの現在位置、行動軌跡、等々の各種情報を情報管理総合センターのＡＩ機能付きクラウドがプライバシィとセキュリテイ保護を優先し収集・記憶・集積・分析・解析し、クラウドが所有する災害発生状況、危険区域状況、避難地域情報、避難関連情報、災害関連警戒情報、地震情報、台風情報、洪水警報、大雨警報、高潮警報、熱中症警戒情報等々の各種情報はＡＩ機能を活用しながら照合・診断し、結果をＩＤ登録番号登録済の以下の観察者、観察受託者、家族、知人、隣人等々のウエアラブル端末宛てに、更にＩＤ番号登録済の以下の介護センター、地域介護施設、医療センター、地域医療機関、幼稚園、学校、警察、消防署、地域総括ケアセンター等々の情報センター宛てに、優先・同時・随時・定時に配信先及び配信時をＡＩクラウドが適宜に選択配信する技術、ＩＤ番号登録済の受信者はその都度受信した情報をベースに相互に双方向通信端末経由で交信し地域ぐるみで対応策を立案し実施に移す技術、更に、要観察対象者のウエアラブル端末に搭載するＧＰＳ端末の電力消費に対応すべく搭載された非接触型充電式電池に充電済み非接触型充電器で繰り返し充電しＧＰＳ端末からの長時間常時受発信を可能にする技術、更に着用しているウエアラブル端末に内設の非接触型充電式電池にどこでもいつでも非接触充電する為に要観察対象者自身及び観察者／観察受託者、家族、知人等々が別途それぞれ充電済み非接触型充電器を携行し、又室内又は室外にも非接触型充電器を設置し、更には充電済み非接触型充電器を予備として複数常備し、充電作業又は充電補助作業が円滑にできる体制を構築する技術、更には前記技術の活用で停電時においてもウエアラブル端末に搭載されている通信端末の受発信機能が途絶えるのを回避し長時間の連続受発信に必要な電力供給をする技術等々を包含するシステムを構築した〔請求項１，２，３，４，５，６，７，８，９〕に掲載されたウエアラブルでハンズフリーなＩＴ活用２４時間遠隔見守りシステム。
【請求項１１】
本発明は、ＩＤ番号登録済の以下の社会的弱者、認知症患者、身体障碍者、寝たきり老人、独居老人、同居老人、同居老夫妻、在宅被介護者、在宅医療患者等々の室内、トイレ内、浴室内での行動情報、転落情報、転倒情報、室内温度情報、室内照度情報、熱中症リスク情報、ドア開閉スイッチ情報等々の各種情報収集は室内又は邸内に施設された各種無線情報センサーで実施され、室内又は邸内に施設されたＢｌｕｅｔｏｏｔｈゲートウエイに収集され中継器経由で情報管理総合センターのＡＩ機能付きクラウドでプライバシイとセキュリテイ保護を優先し収集・記憶・照合・分析・解析され、ＡＩ機能の応用で診断・指示・指導・勧告・警告等々の情報がＩＤ番号登録済の以下の医療センター、地域医療機関、介護センター、地域介護施設、地域包括ケアセンター、自治体、警察署、消防署等々の情報センター宛てに、及びＩＤ番号登録済の以下の観察者、観察受託者、医師、看護婦、薬剤師、ケアマネージャー、介護士等々のウエアラブル端末に搭載の双方向通信端末宛てに優先、同時、定時、随時にＡＩ機能を活用して配信先及び配信時を適宜に選択配信し、ＩＤ番号登録済の受信者は受信の都度相互交信し受信情報をベースに地域ぐるみで対応策を立案し実施に移す〔請求項１，２，３，４，５，６，７，８，９，１０〕に記載のウエアラブルでハンズフリーなＩＴ活用２４時間遠隔見守りシステム。
【発明の詳細な説明】
【技術分野】
【０００１】児童、認知症患者、独居老人、等々の社会的弱者である要観察対象者が着用するウエアラブル端末にＡＩ機能付き各種生体情報センサー、脱水症進度センサー、３軸加速センサー、ＡＩ機能付き聴音センサー、ＡＩ機能付き睡眠センサー、ＡＩスピーカー、ＡＩマイクロ、ＡＩＴＶ会話端末、Ｂｌｕｅｔｏｏｔｈ搭載のＧＰＳ、ＡＩ機能付きスイッチ、非接触型充電式電池等々各種端末の単体又は複合体と直結した双方向通信端末又はＡＩ機能付きアラームを含む音声又は／映像付き双方向通信端末を搭載した一又は複数の各種防水型挿入機器を、腕輪、足輪、サポーター、衣類等々のウエアラブル端末の基体に施設された単数又は複数の収納容器に目的別の自在な着脱を可能とする技術、ＩＤ番号登録済の社会的弱者である要観察対象者が着用するウエアラブル端末から各種情報を情報管理総合センターのＡＩ機能付きクラウドでプライバシイとセキュリテイ保護を優先しながら収集・記憶・編集・分析・解析・加工し診断・指導・指示・警告等々の情報をＩＤ番号登録済の観察者、関係者、等々が着用するウエアラブル端末又はＩＤ番号登録済の関係部署、関係諸機関の情報センターに情報管理総合センターから優先、同時、定時、随時に通信費及び消費電力を抑制し配信先及び配信時を選択配信する技術、配信された情報はアラームを含む音声又は／及び映像付き双方向通信端末搭載のウエアラブル端末及び情報センターで受信されＩＤ番号登録済の受信者相互間での交信で対策を地域ぐるみで立案し、実行に移せる技術等々を包括した地域ぐるみのウエアラブルなＩＴ活用２４時間遠隔見守りシステム。
【背景技術】
【０００２】  リストバンド、ストラップ、その他身の回り品、及び衣服類の基体に時計、宝飾品、ＬＥＤ照明灯、健康値測量機器、運動値測定器、情報通信端末又はセンサー類を搭載した挿入機器を収納容器に着装及び取り出す事例はある。（例えば〔特許文献１〕を参照）
被観察者端末と特定者端末がいずれもカメラおよび／または音声の通信システムを具備し、見守り用サーバーの緊急発報部から特定者端末に緊急発報をおこなった時に特定者端末と被観察者端末との間で映像および／または音声による双方向の通信を行うための双方向通信機能部を有する室内又は宅内に適用範囲を限定した見守りシステムの事例はある。（例えば〔特許文献２〕を参照）
宅内又は室内の見守りに限定した要観察対象者の生活パターンに係る行動・健康情報を検知するセンサーとしての動体センサー、リモコンセンサー及びＲＦＩＤを装着した鍵束と、対象者のベッド上での体勢の変化を検知するベッドセンサーと、加速度センサーを組み込んだ枕センサー等々を室内装置として備え、要観察対象者と主治医、看護婦、介護士、見守り関係者との双方向通信システムを共有する見守りシステムの事例はある（例えば〔特許文献３〕を参照）
又、靴の甲部分にＧＰＳ端末、通信端末及び非接触型充電可能電池を収納し、マット状の充電器上部表面に靴を据え置いて電池の充電を実施する際、充電のｏｎ・ｏｆｆの通信で見守り対象者の宅内又は邸内での入居状況を検知し、宅外又は邸外では靴の甲部分に装着したＧＰＳ端末と通信端末で見守り対象者の行動軌跡、位置情報を検知する機能を付加して用いる見守り用通信システムの事例はある（例えば〔特許文献４〕を参照）
災害時に健常者である被災者自身が携帯している自撮りカメラ付きスマートホンを活用し被災者の自撮り画像を受信し、撮影画像に基づいてスマートホン利用者の緊急度を判定し緊急度を送信する緊急度判定手段を備える健常者自身を対象とした安否確認装置の事例はある。（例えば〔特許文献５〕を参照）
看視対象者を幼稚園児に限定し、園児の生体情報及び位置情報を検出するウエアラブル端末装置と情報管理装置とを備える看視システムの事例はある。
（例えば〔特許文献６〕を参照）
【先行技術文献】
【特許文献】
【０００３】
【特許文献１】特開２０１７−７７４４４
【特許文献２】特開２０１７−１５１７５５
【特許文献３】特開２０１８−３２３９８
【特許文献４】特許第４９９７６１７号
【特許文献５】特開２０１８−９２３４１＋
【特許文献６】特開２０１８−９３９７７
【発明の概要】
【発明が解決しようとする課題】
【０００４】  この発明は、次の各種問題解決を課題とする。【０００５】第一に、従来技術（特許文献１の〔請求項５〕を参照）では、基体に収納容器を施設する際に基体の貫通穴の切り口とその周囲表裏面に粘着テープを貼付する技術が開示されているが、粘着テープの経年劣化に伴い粘着テープの粘着機能が必然的に脆弱化し、基体から粘着テープが剥離する問題、また、粘着テープを貼付した状態での基体の水洗い又は洗濯機での洗濯に際し、粘着テープを構成する粘着糊が水溶化し、粘着強度が衰弱及び劣化する問題等々を解消する課題。【０００６】  第二に、従来技術（特許文献１の〔請求項５〕を参照）では、収納容器を上下に２分割し基体の貫通穴を活用し上下から基体を２分割された収納容器で挟み込み上下に分割された収納容器を基体に固着する技術が開示されているが、上下に分割された２個の部品を製造する工程が複合化しその費用が加算される問題、上下に２分割された２個の部品相互をカシメ勘合するためのカシメ構造の製造加工程が複合化しその費用が加算される問題、又は２分割された部品相互の勘合のために施設された螺旋型ネジ構造を活用し２分割された上下部品のネジ式勘合を可能にするための製造加工程の複合化及びその費用が加算される問題等々を解消しようとする課題。【０００７】第三に、従来技術（特許文献２の〔請求項２〕を参照）で開示されているシステム装置の観察対象は、宅内又は室内に位居する要観察対象者のみに限定されているので社会的弱者である病院内外の患者さん、介護施設内外の被介護人さん又は認知症患者さん、心身障害者さん更には宅外、邸外の児童、子供、老人、徘徊老人等々の皆さんがそれぞれのパフォーマンスの観察を受ける場合には、従来技術〔特許文献２〕が開示する宅内又は邸内のみに限定された見守りシステム装置だけでは適応不可能である問題を解消する課題。【０００８】第四に、従来技術（特許文献３の〔請求項１〕を参照）の開示では、要観察対象者が位居する室内及び宅内のみの範囲内での要観察対象者の生活パターンに係る行動・健康情報を探知するセンサーとして動体センサー、リモコンセンサー及びＲＦＩＤを装着した鍵束とを備える装置、要観察対象者のベッド上での体勢の変化を検知するベッドセンサーと加速度センサーを組み込んだ枕センサーとを備える装置等々を特徴としている見守りシステムであるが、この従来技術で開示されている前者の検知技術（特許文献３の〔０００７〕を参照）の場合、動体センサーが要観察対象者は宅内に在宅か否か或いは動きがあるか否か等々の検知作動にのみ限定されている問題、一方後者の検知技術の場合リモコンセンサーは要観察対象者がリモコン操作を宅内又は室内で行ったかどうかの検知のみに限定している問題、又、ＲＦＩＤを装着した鍵束の行動・施錠状報は要観察対象者が在宅又は外出したかの検知・確認のみに限定されている問題、一方これらの従来技術では宅外、病院外、介護施設外での要観察対象者である社会的弱者、例えば児童、子供、徘徊老人、独居老人、同居老人、認知症患者、心身障害者等々の健康情報の確認、行動軌跡、現在位置確認、安全確認を地域ぐるみで検知、確認できない問題等々を解決しようとする課題【０００９】第五に従来技��（特許文献３の〔請求項１〕を参照））は、要観察対象者の宅内又は室内での夜間生活行動のみを検知するための限定された技術及び機能である問題、ベッドセンサーとしてベッド上面に荷重センサーを設置し要観察対象者の就寝時の状況及び起床時の体勢変化のみを検出する限定された検知装置であり検知技術の適用範囲がベッド上の要観察対象者のみに限定されている問題、枕センサーは枕の内部に３軸加速度センサーを設置し要観察対象者の就寝時のモーション状況のみを検知する見守りシステムとして限定されている問題、一方ではこれらの従来技術では、宅外又は室外の要観察対象者である社会的弱者例えば児童、子供、徘徊老人、独居老人、独居老夫妻、同居老人、心身障害者、病院外の患者、介護施設外の被介護者、認知症患者等々のパフォーマンスを観察する場合にそれぞれの健康情報の確認、行動軌跡、位置情報、安全確認の観察及び検知ができない問題等々を解消しようとする課題【００１０】第六に、従来技術（特許文献４の〔請求項４〕を参照）では、特製のマット状非接触型充電器の上部平面にＧＰＳ端末及び通信端末と非接触型充電式電池を収納している要観察対象者が着用している靴の靴底を接触させて充電する時のみに、靴が宅内又は室内にあるか否かのサインを通信端末で外部に発信し、充電作業を通じてのみ要観察対象者が在宅中であるか否かの確認ができる限定的な見守りシステムの技術が開示されているが、この開示された技術に依拠する場合、要観察対象者の宅内又は邸内での行動軌跡、現在位置の確認が不可能である問題、更には要観察対象者の宅内又は邸内での健康情報の収集・分析が不可能である問題、一方で要観察対象者が宅内外で移動中又は行動中に稼働するＧＰＳ端末の消費電力が大きくなるために頻度の高い充電が不可欠とされ、従来技術の特別製造された宅内据え置き型充電装置に靴底を接触させる限定的な充電方法では宅外又は邸外で要観察対象者が必要とする長時間の常時発信には対応が難しい問題等々を解消しようとする課題【００１１】第七に、ＩＤ番号登録済の児童、子供、認知症患者、徘徊老人、独居老人、在宅治療患者、心身障害者、在宅被介護者等々の社会的弱者を遠隔から地域ぐるみで相互見守りできるインフラ整備が社会厚生上の喫緊問題であり、その解決のための一環として、観察者／観察受託者が善意の管理義務者として要観察対象者に装着密度の高く要観察対象者自身で恣意的に外しにくい強靭な張力のあるサポーター等の基体にＧＰＳ端末等各種情報端末を搭載したウエアラブル端末を半ば強制的に着装させ、要観察対象者の健康情報、位置情報、避難誘導情報、救助情報等々各種情報をプライバシイ保護の優先をさせながら収集・記憶・分析・解析・加工・診断を情報管理総合センターのＡＩ機能付きクラウドで実施され、そこで得られた指示・指導・勧告等々の情報をＩＤ番号登録済の観察者／観察受託者、保護者、関係者、医師、看護師、介護士、保育士、学校教員等々が着用するウエアラブル端末宛てに又は医療センター、介護センター、幼稚園、学校、地域包括ケアセンター、警察署、消防署、等々に施設されている情報管理センター宛てにＡＩ機能の活用で優先・同時・定時・随時に配信先及び配信時が選択されて配信及び��信できる地域ぐるみの社会的インフラの整備が優先される喫緊の社会的情勢下では、〔特許文献５〕で開示されている自撮りカメラを携帯している健常者自身の被災情報及び安否確認のためにのみ限定したプログラムであり、社会的な優先順度が相対的に低いとされる問題を解決しようとする課題。【００１２】第八に、社会的弱者である児童が装着するウエアラブル端末装置として腕に巻くようにして人体に装着するリストバンドが例示されているが（〔参考文献６〕にの〔００１３〕を参照）、児童は恣意的に且つ容易にリストバンドを腕から取り外し常時装着の停止又は中断を惹起する問題、又看視者及び保護者が常時携帯する看視者端末装置としてはスマートホン又はタブレット端末が例示されているが（〔参考文献６〕の〔００１６〕を参照）、看視者及び保護者にとって前記端末装置を常時監視しながら携帯するのは物理的に困難な場合があり、看視者及び保護者の主とする諸活動でのフリーハンズの継続に支障又は阻害を惹起することと為る問題、前記ウエアラブル端末装置は、通信部、制御部、生体情報検出部収音部、位置測定部で構成されている（〔特許文献６〕の〔００５５〕を参照）が、これら五個の構成要素をリストバンドに単体又は複合体として単一又は複数の個所に収納する方法及び収納する構造に関する具体的な技術が開示されていない問題等々を解決しようとする課題。
【解決するための手段】
【００１３】  本発明は、３軸加速センサー、生体情報センサー、脱水症進度センサー、等々を搭載した挿入機器を各種ウエアラブル端末の収納容器に収納固定するために、各種基体の一又は複数の貫通穴切り口と周辺部を刺繍止めし、切り口周辺の端布のほつれ、ほぐれの発生を防止し基体の長期的な耐久性を確保する技術、各種端末を搭載した防水型挿入機器と収納容器の形状が同一心円である場合、単一又は複数の防水型挿入機器の外周部壁面と基体の貫通穴裏面側に覆いかぶさって据え置きされた単体構造の単一又は複数の収納容器のＬ字型内周壁面との相互に施設された螺旋型ネジ構造に沿って螺旋回転させる方法で平易な着脱操作ができる技術、一方で防水型挿入機器と収納容器が同一形状の異形である場合、防水型挿入機器外周壁面にコの字型帯状溝を施設しそのコの字型帯状溝にシリコン製硬性Ｏｒｉｎｇを埋め込み同一シリコン製硬性Ｏｒｉｎｇを収納容器内周壁面中央に施設されたなだらかなコの字型帯状溝に勘合圧入し防水型挿入機器を固着し且つシリコン製Ｏｒｉｎｇの反発力を活用し着脱も可能とする技術、ウエアラブル端末の各種基体から防水型挿入機器及び収納容器を取り出し基体に付着した汚れ、汗、匂い等を電気洗濯機等で洗い落とし、常時基体の清潔さと美観を維持できる日常的な機能を確保する技術等々を包含するハンズフリーでウエアラブルなＩＴ活用２４時間遠隔見守りシステム。
【００１４】本発明がＩＤ番号登録済の社会的弱者を遠隔から見守るために提案するウエアラブル端末と情報管理総合センターのクラウド活用を中心とする包括技術は、ＩＤ番号登録済の社会的弱者である病院内外の医療患者、介護施設内外の被介護人、児童、子供、徘徊老人、認知症患者、心身障害者、独居老人、独居老夫妻等々の各種健康情報、各種生体情報、脱水症状進度情報、行動情報、位置情報、安全情報、等々各種情報をＩＤ番号登録済要観察対象者のウエアラブル端末経由で発信し情報管理総合センターのＡＩ機能付きクラウドがプライバシイ保護を優先させながら収集・記憶・分析・解析・診断し、加工された指示、指導、警告等々の各種情報を通信費のコスト及び消費電力を抑制する為に常時でなく必要に応じてＩＤ番号登録済の観察者／観察受託者、関係者、隣人、知人、医師、看護師、介護士、ケアマネージャー、保育士、学校教員等々が着用するウエアラブル端末宛及びＩＤ番号登録済の地域包括ケアセンター、介護施設、医療施設、幼稚園、学校、消防署、警察署、自治体等々が施設する情報センター宛に優先、同時、定時、随時に配信先及び配信時を選択的配信する技術、受信者が受信した都度ＩＤ登録済の受信者相互間でＡＩ機能付きアラームも含む音声又は／及び映像付き双方向通信端末と非接触型充電式電池を搭載のウエアラブル端末で停電時でも予備の充電済み非接触型充電器の活用で地域ぐるみの相互間の継続交信を可能とし必要な対策が地域ぐるみで立案し実施に移せる技術等々を包括したウエアラブルなフリーハンズのＩＴ活用２４時間遠隔見守りシステム。
【００１５】更に本発明は、ＡＩ機能付きアラームも含む音声又は／及び映像付き双方向通信端末と直結したＡＩ機能付き睡眠センサー、ＡＩ機能付き聴音センサー、及び各種ＡＩ機能付き生体情報センサー、脱水症状進度センサー、３軸加速センサー等々の各種端末を単体又は複合体で搭載した防水型挿入機器を各種基体の一又は複数個所に施設た収納容器に収納固定する技術で構成されたウエアラブル端末を社会的弱者の要観察対象者に観察者／観察受託者が善意の管理義務者として半強制的に装着させ、ＩＤ番号登録済の各要観察対象者が装着しているウエアラブル端末から発信された各種情報を医療用補助データー又は介護用補助データーとしてプライバシイとセキュリテイ保護を優先しなから情報管理総合センターのＡＩ機能付きクラウドが収集、記憶、分析、解析、加工・診断し、ＩＤ登録済の各要観察対象者に関する訪問回診及び駆け付け往診の選択及び実施、訪問介護及び駆け付け介護の選択及び実施等々の医療及び介護に係る各種情報を情報管理総合センターのＡＩ機能付きクラウドを活用し優先、定時、同時、随時に配信先及び配信時を適宜選択し併せて通信費のコスト及び消費電力を抑制する技術、前記各種情報をＩＤ番号登録済のウエアラブル端末着用の医師、係りつけ医師、看護師、薬剤師及び介護士、ケアマネージャー、付き添い家族、知人、隣人、保護者、民生委員等々宛及びＩＤ番号登録済の医療施設／センター、介護施設／センター、幼稚園、学校、消防署、警察署、自治体等々の各情報管理センター宛てに配信し、各自が受信した都度受信内容をベースに必要な対応策をＩＤ番号登録済の受信者相互間で立案及び実施に移す技術、更にアラームを含む音声又は／及び映像付き双方向交信が停電による機能停止防止のため非接触型充電式電池を搭載したウエアラブル端末と予備の充電済み非接触型充電器の活用で交信機能を継続させる技術等々を包含する地域ぐるみの２４時間遠隔見守りシステム
【００１６】更には各種端末を搭載したウエアラブル端末の各種基体を社会的弱者の要観察対象者の身体又はその一部に常時装着し地肌に優しく常時着用で発生する一般的な副作用を相対的に軽減、抑制するオーガニック木綿布製（蓄光性、抗菌性、保温性、保湿性、冷却性、電導性のいずれかを帯びた布製も含む）をその他の素材よりも優先的に採用した腕輪、足輪、リストバンド、ヘアバンド、サポーター、グローブ、帽子、マフラー、ソックス、ベルト、吊下げストラップ、ストラップ、バッグ類、その他身の回り品、ぬいぐるみ、マスコット及び下着類の各部位、衣服類の各部位等々を基体とするウエアラブル端末の各種基体に付着した汗、匂い、汚れ等々を取り除く技術、防水型挿入機器と収納容器の形状が同一心円である防水型挿入機器外周壁面と基体の貫通穴切り口壁面に裏面側から収納固定された単体構造の収納容器内周Ｌ字型壁面との双方に施設された螺旋型ネジ構造の活用で挿入機器を螺旋回転させ、基体から挿入機器と収納容器を取り出せる技術、又、防水型挿入機器と収納容器が異形の同一形状である防水型挿入機器外周部壁面にコの字型帯状溝を施設しコの字型帯状溝にシリコン製硬性Ｏｒｉｎｇを埋込み固定し、更に収納容器内周Ｌ字型壁面中央に施設したなだらかなコの字型帯状溝にシリコン製硬性Ｏｒｉｎｇを圧入し防水型挿入機器と収納容器を勘合させシリコン製硬性Ｏｒｉｎｇの反発力を活用して防水型収納耳と収納容器を固定させ且つ着脱できる構造を形成する技術、又、ぬいぐるみ等の基体に各種防水型挿入機器及び収納容器を内設している場合でも基体に施設された開閉用ジッパーを活用して各種防水型挿入機器及び収納容器を着脱できる構造を形成する技術、防水型挿入機器と収納容器を取り外しウエアラブル端末の各種基体を水洗い等で清掃しその美的外観を損なわず着用者が長期間にわたって日常的に着用できる技術等々を包含するウエアラブルなハンズフリーなＩＴ活用２４時間遠隔見守りシステム。
【００１７】  本発明の効果を向上させるために、ウエアラブル端末の各種基体に一又は複数の収納容器を施設するために各種基体正面に施設された一又は複数の貫通穴の切り口とその周辺部を刺繍糸で刺繍止めし、貫通穴の切り口から発生する端布のほつれを防止する技術、単体構造の収納容器上部平面のツバ状突出部平面の６時及び１２時位置に施設されたピラミッド状小型突起を基体正面の貫通穴切り口の周辺部裏側に圧入収納し単体構造の収納容器を基体正面の裏側に密着固定させ、同時に単体構造の収納容器が基体から離脱するのを防止し又はズレ動くのを防止できる技術等々を包含するＩＴ活用２４時間遠隔見守りシステム。
【００１８】従来技術（特許文献２の〔請求項２〕を参照）で開示の見守りシステムが、室内又は宅内の被観察者向け及びその関係者向けに限定されて施設されているカメラ／音声器機、通信機器等による検知機能及び通信機能を装備持つ装置は室内又は邸内に限定された技術、且つ社会一般的に幅広く要請されている室内外又は宅内外での適用が不可能である技術、本発明はＩＤ番号登録済の介護施設内外の被介護者、病院内外の患者、その他社会的弱者の老人、徘徊老人、認知症患者、心身障害者、独居老人、同居老人、児童、子供等々要観察対象者が着用しているウエアラブル端末のＢｌｕｅｔｏｏｔｈ直結ＧＰＳ端末からの発信による位置情報、行動情報、各種ＡＩ機能付き生体情報センサーから得た各種生体情報、３軸加速センサーから得た行動情報、脱水症状進度情報等々を情報管理総合センターのＡＩ機能付きクラウドが個人プライバシィとセキュリテイ保護を優先しＡＩ機能付きクラウドに収集・集積・記録・分析・加工し、ＡＩ機能の解析・診断を経て必要な医療データー及び補助データー又介護情報及び補助情報、救援情報、救護情報、保護情報等々の各種情報を適宜情報管理総合センターのＡＩ機能付きクラウドからＡＩ機能を活用し優先、同時、定時、随時に配信先及び配信時を選択し併せて通信コスト及び消費電力を抑制し、ＩＤ番号登録済のウエアラブル端末を着用した主事医、掛かりつけ医師、薬剤師、看護師、ケアマネージャー、介護士、身体治療士、見守り家族、見守り保護者、保育士、学校教員、知人、隣人等々宛てに、ＩＤ番号登録済の医療施設、介護施設、地域社会の公的機関、地域総括ケアセンター、幼稚園、学校、警察署、消防署等々に施設された情報管理センター宛てに配信し、ＩＤ番号登録済の受信者が受信データーをベースに相互間で音声乃至はアラーム又は映像等を含む双方向通信で地域ぐるみの交信で適宜に対応策を地域ぐるみで立案・実施できるフリーハンズな地域ぐるみのＩＴ活用２４時間遠隔見守りシステムを構築する。
【００１９】  ウエアラブル端末の各種基体に施設された一又は複数の収納容器に各種情報収集端末を単一体又は複合体として搭載した各種防水型挿入機器を収納する本発明の実施例の一つとして、例えば基体背面に開閉用ジッパーを備えたぬいぐるみにアラームを含む音声及び／又は映像付き通信端末又はアラームを含む音声及び／又は映像付きのＡＩ機能付き双方向通信端末と直結したＡＩスピーカー端末、ＡＩマイクロホン端末、ＡＩ防犯ブザー端末、Ｂｌｕｅｔｏｏｔｈ直結のＧＰＳ端末、ＡＩ自動スイッチ、非接触型充電式電池等々の各種端末を搭載した単一又は複数の防水型挿入器と単一又は複数の収納容器を内設し、併せて点灯、点滅、消灯の３機能を併せ持つＡＩ機能付きＬＥＤ照明灯の光源保護レンズを防水型挿入機器の外装部として別途ぬいぐるみ正面腹部の表面に収納施設し、太陽光電池をぬいぐるみ背部に収納施設しＡＩスイッチ付きＬＥＤ照明灯を点灯又は点滅させながら夜間の帰宅時、塾帰り、部活帰り、及び外出時の児童、学生、ＯＬ、主婦、及び老人の安全確保のためのＡＩ機能付き防犯グッズとしての役割を演出できる技術、更にアラームを含む音声または／及び映像付きの交信で見守り対象者の周囲状況、ストーカー、乱暴者、誘拐容疑者等々に直面している状況を検知・告知する技術、又は緊急な健康状態、救急を必要とする健康状態、脱水症状の発症状況、等々を検知・確認ができる技術、同時に災害発生時に要観察対象者の安全情報、位置情報、行動情報、災害関連情報、河川氾濫情報、浸水情報、津波情報、道路情報、土砂崩れ情報、避難指示及び誘導情報、災害者救援情報等々を遠隔からアラームを含む音声又は／及び映像付き双方向通信で相互交信のできる技術等々を包含するハンズフリーなＩＴ活用２４時間地域見守りシステムの役割を発揮できるシステム構築の一例があげられる
【００２０】認知症患者、身体障害者、徘徊老人、独居老人、児童等々の社会的弱者が要観察対象者である場合、観察者／観察受託者にとって位置情報、行動情報の確認及び軌道修正が最重要課題であり、Ｂｌｕｅｔｏｏｔｈ直結のＧＰＳ端末、ＡＩマイクロホン及びＡＩスピーカー、３軸加速センサー、脱水症状進度センサー、非接触型充電式電池、各種センサー等々を搭載した単一又は複数の防水型挿入機器を収納したウエアラブル端末である腕輪或いは足輪等の着用を要観察対象者が恣意的に忌避するのを防御し又は要観察対象者がそれらの端末を着用することを忘れるリスクを回避する為に、ウエアラブル端末をシームレスで強い張力を持つ腕サポーター又は腰サポーターを基体として別途採用し、認知症患者、心身障害者、児童等々の要観察対象者に観察者又はその関係者／関係部署が善意の管理義務者の立場で強制的に着用させ、ＩＤ番号登録済の要観察対象者のウエアラブル端末から発信される各種情報はプライバシイとセキュリテイ保護を優先しながら情報管理総合センターに送信され、情報管理総合センターのＡＩ機能付きクラウドで収集・記憶・分析・加工・診断された処方又は処置を通信コスト及び消費電力を抑制しながらＩＤ番号登録済の観察者又はその関係者／関係部署のウエアラブル端末宛てに又ＩＤ番号登録済みの医療機関、介護施設、地域包括ケアセンター、消防署、警察署、地域自治体等々の情報管理センター宛てに優先、同時、定時、随時にＡＩ機能を活用して配信先及び配信時を選択配信し、ＩＤ番号登録済の受信者は相互に情報共有しながら地域ぐるみで処方又は処置の立案・実践が出来、安心・安全の住み良いまちづくりに貢献できる遠隔見守りシステムの構築であり、一方、大きい消費電力を必要とするＧＰＳ端末を必要に応じて稼働させるために非接触型充電式電池をウエアラブル端末の基体内の収納容器に収納し、別途に要観察対象者本人／関係者又は観察者及びその関係者／関係部署が携帯する充電済非接触型充電器或いは施設内外に設置された非接触型充電器及び充電済予備非接触充電器を活用し、平易で頻繁な充電作業又は充電補助作業ができる技術の活用で、停電時にも常時受発信ができる技術を併せ持つＩＴ活用２４時間遠隔見守りシステムの一例もある。
【発明の効果】
【００２１】  本発明は、多様な電子端末を搭載した各種挿入機器の使用目的に応じて、厚さの違うウエアラブル端末の各種基体正面の単一又は複数の貫通穴の切り口裏面側に固着された単体構造物である単数又は複数の収納容器に挿入、着脱できる形状に挿入機器の外周部を仕上げ、消費者が多様化するライフ・ケアに合わせて各種挿入機器を選択し、それぞれをウエアラブル端末の各種基体の単一又は複数の収納容器に着脱し、又ぬいぐるみ等の基体に施設された開閉用ジッパーを活用し各種防水型挿入機器及び収納容器を基体内に収納及び着脱し、ＩＤ番号登録済の被観察対象者、例えば児童、子供、独居老人、独居老人夫妻、徘徊老人、心身障害者、認知症患者、被介護者、在宅被治療者、在宅被介護人等々の社会的弱者がアラームを含む音声又は／及び映像付き双方向通信端末搭載のウエアラブル端末から発信した各種情報を情報管理総合センターのＡＩ機能付きクラウドがプライバシイとセキュリテイ保護を優先しながら収集・記憶・分析・解析・診断し、医療上又は介護上の指導、指示、警告等々の加工情報を優先、同時、定時、随時に配信先及び配信時を選択し配信する技術、ＩＤ番号登録済の観察者、観察受託者、関係者、隣人、知人、家族、主治医、看護師、薬剤師、介護士、ケアマナージャー等々の着用するウエアラブル端末宛てに或いはＩＤ番号登録済の警察署、消防署、保育園、学校、介護施設、医療施設、自治体、地域包括ケアセンター等々の情報センター宛てに配信し、ＩＤ番号登録済の受信者が受信内容をベースに受信者相互間で交信し地域ぐるみで対応策を立案・実施する技術等々を包括した地域ぐるみのＩＴ活用２４時間遠隔見守りシステム
【００２２】  従来技術（〔特許文献３〕を参照）で開示されている見守りシステムの技術は、宅内又は室内での要観察対象者の見守りにのみに限定された技術であり要観察対象者の生活パターンに係る行動・健康情報を検知する為に施設される動体センサー、リモコンセンサーで構成され、要観察対象者のベッド上での体勢変化を検知する装置としてベッドセンサー、加速度センサーを組み込んだ枕センサーで構成されている限定された技術であり室内用又は宅内用のみの見守りシステムの機能にのみに限定された技術であるが、本発明の技術では社会一般的な幅広いニーズである社会的弱者の児童、子供、独居老人、独居老人夫妻、徘徊老人、心身障害者、認知症患者、在宅被介護人、在宅被医療者等々を遠隔から見守るシステムとして宅外、乃至は室外でのＧＰＳ端末を活用した現在位置、行動軌跡等々の情報、３軸加速センサーから得られた行動情報及び各種生体情報センサーから得られた生体情報、健康情報、脱水症状進度情報等々の収集・記憶・分析・解析・診断を必要とする遠隔医療補助システム及び遠隔介護補助システムの機能を構築する技術、更にアラームを含む音声又は／及び画像付き双方向通信による地域ぐるみの相互交信が可能な技術等々を包含し、従来技術（特許文献３）の機能限界を解消できる新技術を提案する。
【００２３】  本発明は、遠隔から見守る必要のある社会的弱者であるＩＤ番号登録済の要観察対象者の病院内外の患者、介護施設内外の被介護人、徘徊老人、認知症患者、心身障害者、独居老人、独居老人夫妻、児童、子供、等々の位置情報、行動軌跡情報、健康情報、脱水症状進度情報、睡眠情報、バイタル情報、転倒、ベッドからの転落等々の各種情報を各種情報端末と直結したＡＩ機能付き双方向通信端末搭載のウエアラブル端末経由で、個人プライバシィ情報とセキュリテイ保護を優先し各種収集情報を情報管理総合センターのＡＩ機能付きのクラウドに収集・記録・集積し、ＡＩ機能を活用した即時の分析・解析・加工・診断をし、指導、指示、警告等々要観察対象者に係る医療情報その補助情報、或いは介護情報その補助情報等々を情報管理総合センターのＡＩ機能付きクラウドが優先、同時、定時、随時に配信先及び配信時を選択し通信コスト及び消費電力を抑制し、ＩＤ番号登録済の観察者／観察受託者、主治医、関連医師、薬剤師、看護婦、介護士、保育士、学校教員、家族、付添人等々のウエアラブル端末宛てに、及びＩＤ番号登録済の医療／関連施設、介護／関連施設、教育／関連施設、消防署、警察署、自治体／関連施設等々の情報センター宛に適宜配信し、ＩＤ番号登録済の受信者はその都度受信内容をベースに相互間で音声、アラーム又は映像込みの双方向交信をし、訪問回診又は駆け付け訪問診療の効率化、及び訪問介護又は駆け付け介護の適時化並びに効率化等々を促進し、更にはＩＤ番号登録済の病院内外の患者さんのご家族及び付き添い人さん、介護施設内外の被介護人さん、在宅介護人さん及び在宅医療患者さんの付添人さん、独居老人さん及び同居老人さんのご関係者さん、児童、子供のご両親とその友人、隣人、知人等々が着用しているウエアラブル端末経由で、乃至はＩＤ番号登録済の幼稚園、学校、警察署、消防署、警備会社、地域包括ケアセンター、地域社会の公的機関等々の情報管理センター経由でＡＩ機能付き情報管理総合センターのクラウドから各種情報を受信した都度、受信内容をベースにＩＤ番号登録済の受信者相互間で音声、アラーム又は映像込みの双方向交信ができ、地域ぐるみの安心安全確保及び対応策を立案し実現するフリーハンズなＩＴ活用２４時間遠隔見守りシステムを低廉なコストで実現する技術の提案である。
【００２４】  本発明は、要観察対象者の健康情報、生活情報、脱水症状進度情報、行動情報等々の観察に必要なＡＩ機能付き各種センサー及びＡＩ機能付き各種生体情報センサーを一又は複合搭載した挿入機器類が地肌に直接的な接触の必要な場合に、基体正面の貫通穴裏面に覆いかぶさって据え置かれた単体構造の収納容器内周底面を空洞化し、併せて基体背面も同軸に貫通穴を施設し空洞化し、収納容器の深さ及び広さを個別に調整製作しそれぞれの挿入機器に搭載された双方向通信端末と直結した各種センサー端末が正確かつ柔軟に目的別のセンサー機能が完結できる新技術の効果も提案できる。
【産業上の利用可能性】
【００２５】  本発明は、長時間着用で発生する身体に係る一般的な副作用を相対的に抑制又は軽減できる人肌に優しいオーガニック木綿のソフトな布製（蓄光性、抗菌性、保温性、冷却性、導電性のいずれかを帯びた布製も含む）及び他の素材を採用した腕輪、足輪、リストバンド、ヘアバンド、ベルト、サポーター、ぬいぐるみ、各種衣類等々を各種基体としてそれぞれ厚さの違う各種基体正面乃至は背面の貫通穴とその周辺部の裏面に覆いかぶさって据え置かれた単体構造物である単一又は複数の収納容器にＡＩ機能付きＬＥＤ照明灯、ＡＩ機能付き３軸加速センサー、ＡＩ機能付き各種生体情報センサー、ＡＩ機能付き睡眠センサー、脱水症状進度センサー、ＡＩ機能付き聴音センサー、ＡＩスピーカー、ＡＩマイクロホン、Ｂｌｕｅｔｏｏｔｈ直結のＧＰＳ端末等々の各種端末と直結したＡＩ機能付き双方向通信端末又はＡＩ機能付き映像及び／又はアラームを含む音声付きの双方向通信端末、電池、太陽光電池、充電式電池、非接触型充電式電池等々を単体又は複合体で搭載した単一又は複数の防水型挿入機器を選択し、各種防水型挿入機器を基体の一又は複数個所に施設された収納容器に自在な着脱ができ、又、ぬいぐるみ等の基体に施設された開閉用ジッパーを活用し基体内に施設された各種防水型挿入機器と収納容器の自在な着脱を可能とし、更にはＩＤ番号登録済の病院内外の患者さん、介護施設内外の被介護者さん、住宅又は建物内外の児童、生徒、同居老人、独居老人、独居の老人夫妻、徘徊老人、認知症患者、心身障害者等々の社会的弱者である要観察対象者の健康状態、現在位置、行動軌跡、安全確認等々の各種情報を情報管理総合センターのＡＩ機能付きクラウドでプライバシイとセキュリテイ保護を優先し収集・記憶・分析・解析・診断し、指示、指導、警告等々の情報をＡＩ機能付きクラウドが優先、同時、定時、随時に配信先及び配信時を選択し併せて通信コスト及び消費電力を抑制し必要に応じて適宜の選択配信をし、ＩＤ番号登録済の医療機関／施設、介護施設及び地域総括ケアセンター、幼稚園、学校、警察署、消防署等々の情報センターは受信の都度受信内容をベースに訪問医療又は訪問介護並びに駆け付け診療又は駆け付け介護等々の効果的な施策をＩＤ番号登録済の受信者相互間で立案し業務改善の向上に貢献し、更にはＩＤ番号登録済の要観察対象者の地肌から直接に各種生体情報を場所と時間に制約されることなく収集できる簡易で低廉なウエアラブル端末が活用できるフリーハンズな遠隔見守りシステムの導入及び普及を可能とし、情報管理総合センターから適宜配信される受信内容をベースに受信の都度、ＩＤ番号登録済の受信者の相互交信で地域ぐるみの対応策の立案実施を決定し、地域ぐるみの安全・安心を見守る住み良い環境づくりを可能とし、音声又は／及び映像で相互確認又は応答ができる地域ぐるみの２４時間遠隔見守りの実現により、ＩＤ番号登録済の観察者及び観察受託者側の時間的、距離的、経済的、心理的な各種負担の相対的な削減化及び抑圧化を可能とし、災害時及び熱い状況下には映像付き又は／及びアラームを含む音声付き双方向通信の相互交信により相互確認及び応答を通してＩＤ番号登録済の児童、子供、徘徊老人、独居老人、独居老人夫���、認知症患者、心身障害者等々の現在位置確認、行動軌跡確認、安全確認、安全確保活動、避難活動、災害救援活動、人命救助活動等々の諸活動及び熱中症患者対応策がＩＤ番号登録済の多くの関係者及び地域住民の相互間で地域ぐるみの対応ができるＡＩ機能の活用を含む廉価なウエアラブルでハンドフリーなＩＴ活用２４時間遠隔見守りシステムが各地域に廉価に構築可能となり社会全般の福祉厚生対策、医療対策、災害対策、熱中症対策等々各種問題の改善、改良、解決に貢献できる産業上の多くの利点がある。
【図面の簡単な説明】
【００２６】
【図１】本発明の実施形態の一例としてぬいぐるみを基体とした場合、Ｂｌｕｅｔｏｏｔｈ直結のＧＰＳ端末、ＡＩスピーカー端末、ＡＩマイクロホン端末の各種端末に直結した双方向通信端末、ＡＩ機能付き防犯ブザー又は防犯ブザー、非接触型充電電池等々（いずれも図示されず）を搭載した挿入機器（図示されず）が基体に内設された収納容器（図示されず）に収納されたぬいぐるみ腹部表面の基体にＡＩ機能付きＬＥＤ照明灯又はＬＥＤ照明灯が収納されている完成品の斜方向からの立体外観図である
【図２】同じくＢｌｕｅｔｏｏｔｈに直結したＧＰＳ端末、通信端末又はＡＩ双方向通信端末に直結したＡＩスピーカー端末及びＡＩマイクロホン端末、ＡＩ機能付き防犯ブザー又は防犯ブザー、非接触型充電式電池（いずれも図示されず）等々を搭載した挿入機器（図示されず）が基体に内設された収納容器（図示されず）に収納されたぬいぐるみの腹部表面の基体にＡＩ機能付きＬＥＤ照明灯又はＬＥＤ照明灯を収納した完成品の正面外観図である。
【図３】同じくＡＩ機能付きＬＥＤ照明灯又はＬＥＤ照明灯をぬいぐるみ腹部表面の基体に収納し、ぬいぐるみ内部の収納容器に内蔵されているＢｌｕｅｔｏｏｔｈ直結のＧＰＳ端末、通信端末又はＡＩ双方向通信端末に直結したＡＩスピーカー端末及びＡＩマイクロホン端末，防犯電子ブザー又はＡＩ機能付き防犯電子ブザー、非接触型充電式電池（それぞれ図示されず）等々を搭載した各種防水型挿入機器（図示されず）と収納容器（図示されず）を着脱するためにぬいぐるみ背面に開閉用ジッパーを施設した完成品の背面外観図である。
【図４】同じくＡＩ機能付きＬＥＤ照明灯又はＬＥＤ照明灯をぬいぐるみ腹部表面に収納し、ぬいぐるみ内部の収納容器に内蔵されているＢｌｕｅｔｏｏｔｈ直結のＧＰＳ端末、通信端末又はＡＩ双方向通信端末に直結したＡＩスピーカー端末及びＡＩマイクロホン端末、防犯電子ブザー又はＡＩ機能付き防犯電子ブザー、ＡＩ機能付き自動スイッチ、電池又は非接触型充電式電池等々を搭載した防水型挿入機器を示すぬいぐるみの断面図である。
【図５】腕輪又は足輪の基体貫通穴の切り口壁面に収納容器外周部のＬ字型部分を施設する為に、基体の貫通穴の切り口と周辺部周囲の表裏面を刺繍糸で刺繍止めし、切り口の布端ほつれとほぐれを防止し基体の切り口周辺部を強固にした基体表面側の貫通穴切り口の内周部に設置された収納容器外周部のＬ字型部分と切り口周辺部周囲の平面図である
【図６】同じく腕輪又は足輪の基体の貫通穴切り口側面の裏面に固定された収納容器のツバ状突出部の上部平面中間の１２時と６時位置に施設された小型ピラミッド状の突起物を基体裏面に圧入納入し、収納容器のツバ状突出部平面と挿入機器外周部中間に施設されたツバ状突出部平面で基体を挟み込み、基体を固着し、収納容器外周部のＬ字型部分内周壁面に凹状蠕動型ネジ溝と挿入機器外周部壁面に凸状ネジ山を施設し挿入機器を収納容器にネジ締め固定をし、併せて着脱を可能とする構造技術の断面図である
【図７】強力な張力を持つシームレスな腰又は腕サポーターの基体の貫通穴切り口内周壁面に固定されたＬ字型収納部分を持つ収納容器に各種端末を搭載した防水挿入機器を収納する場合、防水型挿入器外周壁面に帯状コの字型溝を施設し、その凹部にシリコン製硬性Ｏｒｉｎｇを埋込み、シリコン製硬性Ｏｒｉｎｇを収納容器内壁面中央部に施設されたややなだらかなコの字型帯状溝に圧入し防水型挿入機器と勘合収納し着脱する技術が施設された強い張力を持つシームレスな腰又は腕サポーターの正面図である
【図８】同じく強い張力を持つシームレスな腰又は腕サポーターを基体として各種端末を搭載した防水型挿入器を基体に施設された収納容器に収納する場合、防水型挿入容器外周壁面に帯状のコの字型溝を施設し、その凹部にシリコン製硬性Ｏｒｉｎｇを埋込み、対抗する収納容器内周壁面中央部に施設されたややなだらかなコの字型帯状溝にもシリコン製硬性Ｏｒｉｎｇを勘合圧入させ、防水型挿入機器を着脱する技術が施された強い張力を持つシームレスな腕又は腰サポーターの断面図である
【図９】各種端末と双方向通信端末を搭載した挿入機器を収納したウエアラブル端末を着用しているＩＤ登録済の社会的弱者である要観察対象者からインターネット回線経由で各種情報をプライバシイ保護の優先をしながら情報管理総合センターのＡＩ機能付きクラウドが収集・記憶・分析・解析・加工し、診断及び指示・指導・警告等々の情報をＡＩ機能付きクラウドからＩＤ番号登録済の観察者／観察受託者、知人、隣人、医師、看護師、ケアマネージャー、介護士、薬剤師、保育士、等々のウエアラブル端末宛てに、及びＩＤ登録済の地域包括ケアセンター、介護センター、医療センター、幼稚園、学校、警察署、消防署等々に施設された情報センター宛てに優先、同時、定時、随時に配信先及び配信時を選択配信し、ＩＤ番号登録済の受信者が受信の都度相互間で音声又は映像付きで交信し、配信された情報をベースに地域ぐるみで対策を立案し実施に移す本発明は、停電時稼働の可能性を担保するする為にウエアラブル端末に非接触型充電式電池を搭載し、要観察対象者及び観察者／観察受託者は充電済み非接触型充電器を携帯し室内外で施設された非接触型充電器及び予備の充電済み非接触型充電器を活用し途切れの無い電力供給体制を可能にする全体システムの概略図を示す
【発明を実施するための形態】
【００２７】以下、本発明の実施形態の一例として、ＩＤ番号登録済の要観察対象者８ｄが着用しているウエアラブル端末８ａから要観察対象者８ｄの健康情報、安全情報、位置情報等々各種情報のプライバシィ保護を優先しながら情報管理総合センター８ｂのＡＩ機能付きクラウド８ｃが収集・集積・記憶し、分析・解析・加工した情報を常時でなく必要に応じて優先、同時、定時、随時にＩＤ番号登録済の観察者／観察受託者８ｅ宛て又はＩＤ番号登録済の医療センター８ｎ、介護センター８ｏ、地域総括ケアセンター８ｐ、自治体８ｔ、警察署８ｑ、消防署８ｒ等々に施設されている情報センター８ｕ宛てに配信先及び配信時を適宜に選択配信しＩＤ番号登録済の受信者が相互間でアラームを含む音声又は／及び映像で双方向交信し受信した加工情報をベースに対応策を地域ぐるみで立案し実施に移す遠隔見守りシステムの主要な構成要素としてのウエアラブル端末８ａを、１）ぬいぐるみ１を使用する場合、２）腕輪／足輪１−２を使用する場合、３）腕サポーター／越サポーター１−３を使用する場合に分けて例示する〔図１から図８〕
更に〔図９〕に於いて、本発明の全体像を示す概略図を例示する
【００２８】図１において、Ｂｌｕｅｔｏｏｔｈ直結のＧＰＳ端末５ａ、防犯電子ブザー又はＡＩ機能付き防犯電子ブザー５ｄ、ＡＩスピーカー端末５ｅ及びＡＩマイクロホン端末５ｆと直結した双方向通信端末又はＡＩ機能付き双方向通信端末５ｂ、及び非接触型充電式電池５ｃを内設した（いずれも図示されず）ぬいぐるみ１の腹部表面の基体１ａに収納容器２（図示されず）を施設するための貫通穴１ｂ（図示されず）の裏面に固定された単体構造物である収納容器２（図示されず）に、ＬＥＤ照明灯又はＡＩ機能付きＬＥＤ照明灯４ａとその光源４ｃを保護したレンズ外周部４ｂを収納し、照明方向を一定に保つ為にぬいぐるみ１の上部背面の左右に吊り下げ紐１ｆを施設し着用者身体に固着できる技術に支えられたぬいぐるみ１の斜方向からの全体の立体外観図である。
【００２９】図２において、Ｂｌｕｅｔｏｏｔｈ直結のＧＰＳ端末５ａ、防犯電子ブザー５ｄ、ＡＩスピーカー端末５ｅとＡＩマイクロホン端末５ｆに直結した双方向通信端末５ｂ及び非接触型充電方式電池５ｃ（いずれも図示されず）を内設したぬいぐるみ１腹部表面の基体１ａに施設された貫通穴１ｂ（図示なし）の裏面に固定された単体構造物の収納容器２（図示されず）にＬＥＤ照明灯又はＡＩ機能付きＬＥＤ照明灯４ａに施設された光源４ｃを保護したレンズの外周部４ｂが収納され，照明方向を一定に保つ為にぬいぐるみ１の上部背面の左右に吊り下げ紐１ｆを施設し着用者身体に固着できる技術に支えられたぬいぐるみ１の正面からの全体の外観図である。
【００３０】図３に於いて、ぬいぐるみ１の表面に収納されたＬＥＤ照明灯４ａ（図示されず）の照明方向を一定に保つ為にぬいぐるみ１の上部背面１ｅの左右に吊り下げ紐１ｆを施設し着用者自身に固着できる技術を伴い、防犯ブザー又はＡＩ機能付き防犯ブザー５ｄ、Ｂｌｕｅｔｏｏｔｈ直結のＧＰＳ端末５ａ、ＡＩスピーカー端末５ｅ及びＡＩマイクロホン端末５ｆと直結したＡＩ機能付き双方向通信端末５ｂ、非接触型充電方式電池５ｃ（いずれも図示されず）の収納容器２（図示されず）をぬいぐるみ１の基体１ａに内設したぬいぐるみ１の基体１ａ背面１ｅに開閉用ジッパー１ｄを施設し収納容器２（図示されず）を着脱可能としたぬいぐるみ１の基体１ａ背面１ｅの外観図である。
【００３１】  図４に於いて、防犯ブザー又はＡＩ機能付き防犯ブザー５ｄ、Ｂｌｕｅｔｏｏｔｈ直結のＧＰＳ端末５ａ、双方向通信端末又はＡＩ機能付き双方向通信端末５ｂと直結したＡＩスピーカー端末５ｅ及びＡＩマイクロホン端末５ｆ、非接触型充電式電池５ｃ等々の収納容器２を内設したぬいぐるみ１とのその腹部表面の基体１ａの裏面に固定された単体構造の収納容器２の内周壁面２ｅに凹状の螺旋型ネジ溝２ｆを構築し、ＡＩ機能付きＬＥＤ照明灯４ａの光源４ｃを防護する防護レンズ外周部４ｂ下部の外側壁面３ｃに凸状の螺旋型ネジ山３ｄを構築し外周部４ｂ中部にツバ状突出部３ｂを施設し防護レンズ外周部４ｂを螺旋回転でネジ締めし保護レンズ外周部４ｂ中間部に施設したツバ状突出部３ｂを活用し収納容器２に固定させる技術のシステム構造の断面図である。
【００３２】図５に於いて、腕輪１−２の基体１ａに単一又は複数の収納容器２及び収納容器Ｌ字部分２ｇを収納する為に施設された単一又は複数の貫通穴１ｂとその切り口周辺部１ｄの布端ほつれ又はほぐれ等の発生を予防するために、切り口周辺部１ｄを刺繍止め用刺繍糸７ａで刺繍止めし、貫通穴１ｂとその切り口周辺部１ｄを堅固に加工し長期使用に対応できる基体１ａを形成するために刺繍糸７ａで加工された貫通穴１ｂ内周壁面１ｃに施設された収納容器Ｌ字型部分２ｇと貫通穴切り口周辺部１ｄの正面図である。
【００３３】図６は、ウエアラブルな腕輪１−２を基体１ａとして単一又は複数の貫通穴１ｂに施設された単一又は複数の収納容器２の底面上部開放平面２ｂの１２時と６時の位置に施設されたピラミッド状小型突起物２ｄを基体裏面に圧入固定し、収納容器２の底面上部解放面のツバ状突出部２ｃと防水型挿入機器３ａの外周部中間に施設されたツバ状突出部３ｂとで基体１ａを上下から挟み込み防水型挿入機器３ａを基体１ａに施設された収納容器２に挿入し固定する技術であり、且つ防水挿入機器３ａの外周部壁面に凸状の螺旋状ネジ山３ｄを施設し、収納容器２のＬ字型部分２ｇの内周部壁面２ｅに凹状の螺旋状ネジ溝２ｆを施設し、防水挿入機器３ａを指先で上下に螺旋回転させ防水挿入機器３ａを収納容器２のＬ字型部分２ｇにネジ締め固定し更に収納容器２から着脱できる技術に支えられたウエアラブな腕輪１−２の構造断面図である。
【００３４】図７は、ＩＤ番号登録済の要観察対象者８ｄである痴呆症患者６ａ、児童６ｆ等々の社会的弱者の位置情報、行動情報、健康情報等々をＩＤ番号登録済の観察者／観察受託者８ｅ、知人８ｌ、医療センター８ｎ、介護センター８ｏ、地域包括ケアセンター８ｐ等々に常時でなく必要に応じて随時各種情報を受発信する目的のためにＢｌｕｅｔｏｏｔｈ直結のＧＰＳ端末５ａ，生体情報センサー５ｈ等々を搭載した単一又は複数の防水挿入機器３ａをシームレスで強力な張力を持つ腕サポーター１−３の基体１ａに施設された単一又は複数の収納容器２及びＬ字型部分２ｇに収納固定し、観察者／観察受託者８ｅが腕サポーター１−３を善意の管理義務者として強制的に要観察対象者８ｄに着用させ、要観察対象者８ｄが恣意的に防水挿入機器３ａと基体１ａを取り外しできない構造とし、又基体１ａの常時着用を忘れるリスクを防止できる構造とする技術に支えられた腕サポーター１−３の正面図である。
【００３５】図８は、同じくシームレスで強力な張力を持つ腕サポーター１−３を基体１ａとして単一又は複数を施設した貫通穴切り口壁面１ｃと勘合する単一又は複数の収納容器２外周部Ｌ字型部分２ｈに各種端末を単体又は複合体で搭載した防水挿入機器３ａを挿入収納する場合、防水型挿入機器外周部壁面３ｃにコの字型帯状溝３ｆを施設し帯状溝３ｆにシリコン製硬性Ｏｒｉｎｇ３ｇを埋め込み、収納容器２外周Ｌ字部分２ｈの内周壁面中央部のややくびれた溝部分２ｇもシリコン製硬性Ｏｒｉｎｇを収納し、防水型挿入機器３ａをシリコン製硬性Ｏｒｉｎｇ３ｇの反発力を活用し収納容器２のＬ字型部分２ｈに勘合圧入し防水型挿入機器３ａを収納容器２に固定し更に着脱を可能とする技術に支えられたシステムの横断側面図である
【００３６】図９は、通信ネット回線網８を主軸とし、音声又は／及び映像付き双方向通信端末５ｂをシステム参加者全員のウエアラブル端末８ａに施設し、情報管理総合センター８ｂのＡＩ機能付きクラウド８ｃがプライバシイ保護を優先させながらＩＤ番号登録済の要観察対象者８ｄ例えば認知症患者６ａ、在宅医療患者６ｂ，在宅被介護人６ｃ，独居老人６ｄ，身体障碍者６ｅ，児童６ｆ，等々の位置情報、行動情報、各種生体情報、脱水症情報等々をウエアラブル端末経由で各種情報を収集・記憶・分析・解析・加工し、診断、指導、指示、警告等々の情報を優先、同時、定時、随時に配信先及び配信時を随時選択し、ＩＤ登録済の観察者／観察受託者８ｅ、医師８ｆ，看護師８ｇ、ケアマネージャー８ｈ，介護士８ｉ，保育士８ｊ，薬剤師８ｋ、知人８ｌ，隣人８ｍ，等々のウエアラブ端末宛てに、又はＩＤ番号登録済の医療センター８ｎ、介護センター８ｏ、地域包括ケアセンター８ｐ，警察署８ｑ，消防署８ｒ、幼稚園８ｓ，自治体８ｔ，等々に施設された情報センター８ｕ宛先に適宜に配信し、ＩＤ登録済の受信者が受信の都度、相互間で受信内容をベースに対応策を地域ぐるみで立案・実施する事案を、地域ぐるみで音声又は／及び映像付き双方向通信端末５ｂで交信し地域ぐるみで検討し判断し行動できる技術であり、本発明の停電時稼働を担保するためにウエアラブル端末８ａに非接触型充電式電池５ｃを施設し、要観察対象者本人８ｄ、観察者／観察受託者８ｅ、隣人８ｍ、知人８ｌ、介護士８ｉ等々が充電済み非接触型充電器５ｉを携帯し、又室内外に施設された非接触型充電器５ｉの活用や予備の充電済み非接触型充電器５ｉの活用でどこでもいつでも実施できる技術で支えられたＩＴ活用２４時間遠隔見守りシステムの概略図である
【符号の説明】
【００３７】１――ぬいぐるみ
１−２  腕輪／足輪
１−３  腕／腰サポーター
１ａ…‥基体
１ｂ‥‥基体の貫通穴
１ｃ‥‥貫通穴の切り口内周壁面
１ｄ−貫通穴の切り口の周辺部
１ｅ‥‥基体背面の開閉用ジッパー
１ｆ−左右２本の吊り下げ用紐
２――単体構造の収納容器
２ｂ…収納容器上部の外周開放部の平面
２ｃ―収納容器上部の外周解放部に施設されたツバ状突出部
２ｄ−収納容器のツバ状突出分平面に施設されたピラミッド状突起
２ｅ…‥収納容器内周側面のコの字型溝
２ｆ…‥収納容器内周壁面に施設された凹状蠕動型ネジ溝
２ｇ…収納容器Ｌ字型内周部分
３ａ…‥挿入機器
３ｂ−挿入機器の外周部中間部のツバ状突端部
３ｃ…‥挿入機器の外周部の外周側面のコの字型帯状溝
３ｄ‥‥挿入機器の外周部側面に施設された蠕動型凸状ネジ山
３ｅ…挿入機器の外周部の下方底面
３ｇ…シリコン製硬性Ｏｒｉｎｇ
４ａ‥‥ＬＥＤ照明灯
４ｂ…照明灯の保護レンズ
４ｃ…照明灯の光源
５ａ…ＧＰＳ端末
５ｂ…音声又は／及び映像付き双方向通信端末
５ｃ−非接触型充電式電池
５ｄ‥‥防犯電子ブザー
５ｅ…ＡＩスピーカー端末
５ｆ…ＡＩマイクロホン端末
５ｈ…生体情報センサー
５ｉ…非接触型充電器
５ｊ‥‥中継器
５ｋ…室内又は邸内各種情報収集センサー
５ｌ‥Ｂｌｕｅｔｏｏｔｈゲートウエイ
５ｍ−充電済み非接触型充電器
５ｎ…３軸加速センサー
５０…Ｂｌｕｅｔｏｏｔｈ
６ａ…認知症患者
６ｂ…在宅医療患者
６ｃ―在宅被介護人
６ｄ―独居老人
６ｅ―身体障碍者
６ｆ−児童  学生
６ｇ−徘徊老人
７ａ…‥刺繍止め用刺繍糸
８――通信ネット回線網
８ａ‥‥ウエアラブル端末
８ｂ−情報管理総合センター
８ｃ−ＡＩ機能付きクラウド
８ｄ…要観察対象者
８ｅ…観察者／観察受託者
８ｆ−医師
８ｇ‥‥看護師
８ｈ‥‥ケアマネージャー
８ｉ‥‥介護士
８ｊ−保育士
８ｋ…薬剤師
８ｌ‥‥知人
８ｍ−隣人
８ｎ―医療センター医療施設
８ｏ―介護センター介護施設
８ｐ−地域包括ケアセンター
８ｑ…警察署
８ｒ−消防署
８ｓ−幼稚園
８ｔ―自治体
８ｕ…情報センター
８ｖ…学校教員
８ｗ−見守り家族
８ｘ−見守り保護者
【図１】
2020064580.tif 000003
【図２】
2020064580.tif 000004
【図３】
2020064580.tif 000005
【図４】
2020064580.tif 000006
【図５】
2020064580.tif 000007
【図６】
2020064580.tif 000008
【図７】
2020064580.tif 000009
【図８】
2020064580.tif 000010
【図９】
2020064580.tif 000011